(57)【要約】【解決手段】  粉末容器４２又はバイパス通路５１内の残液を液抜きすることができるようになっている。そのために、送液ポンプ３３の上流側で浄水供給通路３１と原液供給通路４４とを接続する第１液抜き通路７１と、上記送液ポンプの下流側で上記浄水供給通路と透析液排液通路３２とを接続する第２液抜き通路７２と、さらに開閉弁７８を開放することによって分岐通路４３を外部空間に連通させる開放通路７７とを設けている。上記開放通路の開閉弁を開放するとともに上記送液ポンプを作動させることにより、上記粉末容器４３内の液体又はバイパス通路５１内の液体を、上記第１液抜き通路および第２液抜き通路を介して排出することができる。【効果】  粉末容器４２を分岐通路４３と原液供給通路４４とから取り外す際、またはバイパス通路５１を分岐通路と原液供給通路とから切り離す際に、それらの内部の液体が外部に漏洩するのを防止することができる。【選択図】  図３
2018000612.tif 000002
【特許請求の範囲】
【請求項１】
透析液の原液を作製する原液作製手段と、浄水供給通路に設けた送液ポンプによって供給される浄水と上記原液作製手段から原液供給通路を介して供給される原液とを混合して透析液を作製する透析液作製手段と、該透析液作製手段から透析器に透析液を供給する透析液供給通路と、上記透析器から使用済み透析液を排出する透析液排液通路とを備え、
上記原液作製手段は、上記浄水供給通路から分岐した分岐通路と上記原液供給通路とに着脱可能に接続された粉末容器とを有し、上記分岐通路から供給される浄水によって粉末容器内の透析液作製用粉末を溶解して原液を作製し、当該作製した原液を上記原液供給通路を介して透析液作製手段に供給するようになっている透析装置において、
上記送液ポンプの上流側の上記浄水供給通路と上記原液供給通路とを接続する第１液抜き通路と、上記送液ポンプの下流側の上記浄水供給通路と上記透析液排液通路とを接続する第２液抜き通路と、開閉弁を開放することによって上記分岐通路を外部空間に連通させる開放通路と、上記送液ポンプおよび開閉弁を制御する制御手段とが設けられ、
上記制御手段は、上記開放通路の開閉弁を開放するとともに上記送液ポンプを作動させることにより、上記粉末容器内の液体を上記第１液抜き通路および第２液抜き通路を介して液抜きすることを特徴とする透析装置。
【請求項２】
上記透析液作製手段は、内部が供給室と回収室とに区画された透析液チャンバを備えており、上記透析液供給通路は透析液チャンバの供給室から上記透析器に透析液を供給するとともに、透析器からの使用済み透析液は透析液回収通路を介して上記透析液チャンバの回収室に回収されるようになっており、さらに上記透析液排液通路は上記回収室に回収された使用済み透析液を外部に排出するようになっており、
さらに上記透析液排液通路に当該透析液回収通路内の圧力を検出する圧力センサが設けられるとともに、上記浄水供給通路と第１液抜き通路との接続部よりも上流側で上記浄水供給通路と上記透析液回収通路とを接続する圧力検出通路が設けられ、上記制御手段は、上記圧力センサの検出結果に基づいて上記送液ポンプの作動を停止させることを特徴とする請求項１に記載の透析装置。
【請求項３】
上記粉末容器を上記原液供給通路および上記分岐通路から取り外した状態で、当該原液供給通路と分岐通路とを接続するバイパス通路が設けられ、上記制御手段は、上記バイパス通路を上記原液供給通路および分岐通路に接続した状態で、上記開放通路の開閉弁を開放するとともに上記送液ポンプを作動させることにより、上記バイパス通路内の液体を上記第１液抜き通路および第２液抜き通路を介して液抜きすることを特徴とする請求項１または請求項２に記載の透析装置。
【発明の詳細な説明】
【技術分野】
【０００１】
本発明は透析装置に関し、より詳しくは、粉末容器内に浄水を供給して透析液の原液を作製する原液作製手段を備えた透析装置に関する。
【背景技術】
【０００２】
従来、透析装置として、透析液の原液を作製する原液作製手段と、浄水供給通路に設けた送液ポンプによって供給される浄水と上記原液作製手段から原液供給通路を介して供給される原液とを混合して透析液を作製する透析液作製手段と、該透析液作製手段から透析器に透析液を供給する透析液供給通路と、上記透析器から使用済み透析液を排出する透析液排液通路とを備え、上記原液作製手段は、上記浄水供給通路から分岐した分岐通路と上記原液供給通路とに着脱可能に接続された粉末容器とを有し、上記分岐通路から供給される浄水によって粉末容器内の透析液作製用粉末を溶解して原液を作製し、当該作製した原液を上記原液供給通路を介して透析液作製手段に供給するようになっているものが知られている（特許文献１）。
【先行技術文献】
【特許文献】
【０００３】
【特許文献１】特開２０１２−１７０７２２号公報
【発明の概要】
【発明が解決しようとする課題】
【０００４】
上記粉末容器は、透析治療後に上記分岐通路と原液供給通路とから取り外されるが、その際に粉末容器内に残存していた原液が外部に漏洩する結果となる。
また、透析治療開前に、上記分岐通路と原液供給通路とをバイパス通路を介して連通させることにより、この状態で分岐通路や原液供給通路を含む透析回路の洗浄を行うことができるが、洗浄後に上記バイパス通路を分岐通路と原液供給通路とから取り外すと、該バイパス通路内に残留している洗浄液が外部に漏洩することになる。
本発明は、そのような事情に鑑み、粉末容器を分岐通路と原液供給通路とから取り外す際に、粉末容器から原液が外部に漏洩するのを防止することができる透析装置を提供するものである。
また本発明は、上記バイパス通路を分岐通路と原液供給通路とから取り外す際に、該バイパス通路から洗浄液が外部に漏洩するのを防止することができる透析装置を提供するものである。
【課題を解決するための手段】
【０００５】
請求項１の発明は、透析液の原液を作製する原液作製手段と、浄水供給通路に設けた送液ポンプによって供給される浄水と上記原液作製手段から原液供給通路を介して供給される原液とを混合して透析液を作製する透析液作製手段と、該透析液作製手段から透析器に透析液を供給する透析液供給通路と、上記透析器から使用済み透析液を排出する透析液排液通路とを備え、
上記原液作製手段は、上記浄水供給通路から分岐した分岐通路と上記原液供給通路とに着脱可能に接続された粉末容器とを有し、上記分岐通路から供給される浄水によって粉末容器内の透析液作製用粉末を溶解して原液を作製し、当該作製した原液を上記原液供給通路を介して透析液作製手段に供給するようになっている透析装置において、
上記送液ポンプの上流側の上記浄水供給通路と上記原液供給通路とを接続する第１液抜き通路と、上記送液ポンプの下流側の上記浄水供給通路と上記透析液排液通路とを接続する第２液抜き通路と、開閉弁を開放することによって上記分岐通路を外部空間に連通させる開放通路と、上記送液ポンプおよび開閉弁を制御する制御手段とが設けられ、
上記制御手段は、上記開放通路の開閉弁を開放するとともに上記送液ポンプを作動させることにより、上記粉末容器内の液体を上記第１液抜き通路および第２液抜き通路を介して液抜きすることを特徴とするものである。
また請求項３の発明は、上記請求項１の発明において、上記粉末容器を上記原液供給通路および上記分岐通路から取り外した状態で、当該原液供給通路と分岐通路とを接続するバイパス通路が設けられ、上記制御手段は、上記バイパス通路を上記原液供給通路および分岐通路に接続した状態で、上記開放通路の開閉弁を開放するとともに上記送液ポンプを作動させることにより、上記バイパス通路内の液体を上記第１液抜き通路および第２液抜き通路を介して液抜きすることを特徴とするものである。
【発明の効果】
【０００６】
請求項１の発明によれば、粉末容器を分岐通路と原液供給通路とから取り外す前に、上記制御手段により、上記開放通路の開閉弁を開放するとともに上記送液ポンプを作動させて、上記粉末容器内の液体を上記第１液抜き通路および第２液抜き通路を介して液抜きすることができるので、その後に粉末容器を分岐通路と原液供給通路とから取り外せば、該粉末容器内から原液が外部に漏洩するのを防止することができる。
また請求項３の発明によれば、上記バイパス通路を分岐通路と原液供給通路とから切り離す前に、上記制御手段により、上記開放通路の開閉弁を開放するとともに上記送液ポンプを作動させて、上記バイパス通路内の液体を上記第１液抜き通路および第２液抜き通路を介して液抜きすることができるので、その後にバイパス通路を分岐通路と原液供給通路とから切り離せば、該バイパス通路内から液体が外部に漏洩するのを防止することができる。
【図面の簡単な説明】
【０００７】
【図１】本発明の実施例を示す外観図。
【図２】図１のアーム４７、４８間に着脱自在に粉末容器４２を取り付けた状態を示す図。
【図３】図１に示した透析装置における透析液回路を示し、太線は粉末容器４２からの液抜き作業状態を示す図。
【発明を実施するための形態】
【０００８】
以下、図示実施例について本発明を説明すると、図１は透析治療を行う透析装置１の外観を示しており、該透析装置１は病院のコンセントなどの電源から給電されて作動するとともに、内部に設けた図示しない制御手段によって作動が制御されるようになっている。
上記透析装置１は、本体部１ａの外部に保持された透析器２と、該透析器２に接続された血液回路３と、本体部１ａの内部に設けられて上記透析器２が着脱自在に取り付けられる透析液回路４（図３）とを備えている。
上記制御手段は画面表示式の操作パネル１ｂを備え、画面には操作に必要なボタンやアイコン、メッセージが表示され、透析装置１の操作および各種パラメータの設定を行うことができるようになっている。
【０００９】
上記血液回路３は、図１、図３に示すように、患者の血管に接続されて上記透析器２に血液を供給する動脈側通路１１と、透析器２から患者に血液を戻す静脈側通路１２とを備えており、これら通路は樹脂製のチューブで構成されている。
図３に示すように、上記動脈側通路１１の一端に患者の血管に穿刺される穿刺針１１ａが設けられ、また他端は透析器２に接続されている。そして上記穿刺針１１ａから順に、動脈側通路１１を閉鎖するクランプ１３と、血液を送液する血液ポンプ１４と、ドリップチャンバ１５とが配置されている。上記血液ポンプ１４は、チューブをしごいて送液するローラポンプであって、かつ上記制御手段によって作動を制御され、図示しない患者から透析器２へ血液を送液することが可能となっている。
一方、上記静脈側通路１２の一端は上記透析器２に接続されるとともに他端に患者の血管に穿刺される穿刺針１２ａが設けられており、上記透析器２から順に、ドリップチャンバ１５’および静脈側通路１２を閉鎖するクランプ１３’が配置されている。
【００１０】
上記透析液回路４は、浄水とＡ原液およびＢ原液とから透析液を作製する透析液作製手段２１を備えており、該透析液作製手段２１は、同形の第１透析液チャンバ２５と第２透析液チャンバ２６とを備えている。各透析液チャンバ２５、２６は内部がそれぞれダイアフラムによって２室に区画され、一方を新鮮な透析液を作製して供給するための供給室２５ａ、２６ａとし、他方を使用済みの透析液を回収するための回収室２５ｂ、２６ｂとしている。
上記供給室２５ａ、２６ａで作製された新鮮な透析液は透析液供給通路２７を介して上記透析器２に供給され、透析器２内を通過した使用済み透析液は透析液回収通路２８を介して上記回収室２５ｂ、２６ｂで回収されるようになっている。
上記透析液供給通路２７は分岐して上記第１、第２透析液チャンバ２５、２６の上記供給室２５ａ、２６ａに接続されており、透析液回収通路２８も分岐して上記回収室２５ｂ、２６ｂに接続されている。
また、上記第１、第２透析液チャンバ２５、２６の供給室２５ａ、２６ａには浄水を供給する浄水供給通路３１が接続されており、回収室２５ｂ、２６ｂには使用済みの透析液を排出するための透析液排液通路３２が接続されている。
【００１１】
上記浄水供給通路３１の上流側端部となる給液口３１Ａは、浄水を供給する図示しない給水手段に接続されており、浄水供給通路３１の下流部分は２方向に分岐してそれぞれ上記第１、第２透析液チャンバ２５、２６の供給室２５ａ、２６ａに接続され、それぞれ上記制御手段の制御によって開閉される給液弁Ｖ１、Ｖ２が設けられている。
上記浄水供給通路３１には上記浄水を送液する送液ポンプ３３が設けられ、この送液ポンプ３３と上述した浄水供給通路３１の分岐部との間には、透析液の原液であるＡ原液を供給するＡ原液供給通路３４と、透析液の原液であるＢ原液を供給する第１Ｂ原液供給通路３５とが接続されている。
上記浄水供給通路３１における給液口３１Ａに近い下流側の位置には開閉弁Ｖ１０３が設けられており、この開閉弁Ｖ１０３は制御手段によって作動を制御されるようになっている。上記送液ポンプ３３が作動される際には、制御手段によって開閉弁Ｖ１０３も開放されるようになっており、それによって、給液口３１Ａから浄水供給通路３１を介して第１、第２透析液チャンバ２５、２６の供給室２５ａ、２６ａに浄水を給送できるようになっている。
【００１２】
上記Ａ原液供給通路３４および第１Ｂ原液供給通路３５の上流部には、それぞれＡ原液容器３６およびＢ原液容器３７が接続され、Ａ原液およびＢ原液はそれぞれＡ原液供給通路３４に設けたＡ原液ポンプ３８およびＢ原液供給通路３５に設けたＢ原液ポンプ３９によって透析液作製手段２１に送液されるようになっている。
また、上記Ｂ原液容器３７からＢ原液を供給する代わりに、Ｂ原液作製手段４１により粉末容器４２内の粉末を浄水で溶解し、これをＢ原液として上記透析液作製手段２１に供給することができるようになっている。
上記Ｂ原液作製手段４１は、Ｂ原液となるＢ粉末を収容した上記粉末容器４２と、上記浄水供給通路３１から分岐されて浄水を粉末容器４２に供給する分岐通路４３と、粉末容器４２内で溶解されたＢ原液を上記透析液作製手段２１に供給する第２Ｂ原液供給通路４４とを備えている。
上記分岐通路４３の一端は、上記送液ポンプ３３の下流側とＡ原液供給通路３４および第１Ｂ原液供給通路３５の上流側との間の浄水供給通路３１に接続されており、該分岐通路４３の他端は上記粉末容器４２内の上部空間に連通されている。
また上記第２Ｂ原液供給通路４４の一端は上記粉末容器４２内の下部空間に連通されるとともに、他端は上記Ｂ原液ポンプ３９よりも上流側で第１Ｂ原液供給通路３５に接続されており、第１Ｂ原液供給通路３５と第２Ｂ原液供給通路４４とのそれぞれに、いずれか一方の通路３５、４４をＢ原液ポンプ３９に連通させるための開閉弁４５、４６を設けている。
【００１３】
上記粉末容器４２は、図２に示すように、上記透析装置１の本体部１ａの外部に着脱自在に保持されている。すなわち本体部１ａの外部には上下位置に上側アーム４７と下側アーム４８とを設けてあり、上側アーム４７は水平方向となる保持位置（図２）と鉛直下方となる折り畳み位置（図１）との間で揺動自在となっている。
また下側アーム４８は水平方向となる保持位置（図２）と鉛直上方となる折り畳み位置（図１）との間で揺動自在となっている。
そして両アーム４７、４８を水平方向の保持位置させた状態で、両アームの先端部間で上記粉末容器４２を上下に保持することができるようになっている（図２の状態）。
この状態では、本体部１ａ内に設けた上記分岐通路４３は上側アーム４７に設けた内部通路４７ａを介して上記粉末容器４２の内部空間にその上部から連通し、また第２Ｂ原液供給通路４４は下側アーム４８に設けた内部通路４８ａを介して上記粉末容器４２の内部空間にその下部から連通するようになる。
これにより、上記分岐通路４３からの浄水を上側アーム４７の内部通路４７ａを介して粉末容器４２内に供給し、粉末容器４２内で溶解されて作製されたＢ原液を下側アーム４８の内部通路４８ａを介して第２Ｂ原液供給通路４４に供給することができるようになっている。
【００１４】
さらに図３に示すように、上記粉末容器４２の上流側の分岐通路４３と下流側の第２Ｂ原液供給通路４４とにそれぞれ開閉弁４９、５０が設けられ、両開閉弁４９，５０を閉じた状態で上側アーム４７と下側アーム４８とから粉末容器４２を取り外すことができるようにしてある。
両アーム４７、４８から粉末容器４２を取り外して、図１に示すように両アーム４７、４８を折り畳んだ状態とした状態では、上側アーム４７の内部通路４７ａは本体部１ａの内部に設けたバイパス通路５１の上端部に連通し、下側アーム４８の内部通路４８ａは上記バイパス通路５１の下端部に連通するようになっている。
これにより、上記分岐通路４３からの浄水や洗浄液を上側アーム４７の内部通路４７ａ、バイパス通路５１および下側アーム４８の内部通路４８ａを介して第２Ｂ原液供給通路４４に流通させることができるようにしてある。
【００１５】
次に、上記透析液供給通路２７は、その上流部分が２方向に分岐してそれぞれ上記第１、第２透析液チャンバ２５、２６の供給室２５ａ、２６ａに接続され、上記分岐部分にはそれぞれ制御手段の制御によって開閉される供給弁Ｖ３、Ｖ４が設けられている。透析供給通路２７の下流側端部には、透析器２に着脱可能なカプラ２７Ａが連結されており、このカプラ２７Ａは透析治療の際には上記透析器２に接続されるようになっている。
また、透析液供給通路２７には、上記分岐点から順に、透析液の有害成分を除去する透析液フィルタＦ１と、上記制御手段の制御によって開閉される開閉弁Ｖ５とが設けられている。上記透析液フィルタＦ１の一次側には、上記透析液供給通路２７と透析液回収通路２８とを連通させるバイパス通路５５が接続され、該バイパス通路５５には上記制御手段の制御によって開閉される開閉弁Ｖ６が設けられている。
上記開閉弁Ｖ６を開放することにより、透析液供給通路２７の透析液を透析器２を通過させずに、バイパス通路５５を介して透析液回収通路２８へと送液することができるようにしてある。
【００１６】
上記透析液回収通路２８は、その下流部分が２方向に分岐してそれぞれ上記第１、第２透析液チャンバ２５、２６の回収室２５ｂ、２６ｂに接続され、この分岐部分にはそれぞれ制御手段の制御によって開閉される回収弁Ｖ１０、Ｖ１１が設けられている。また、透析液回収通路２８の上流側端部にはカプラ２８Ａが連結されており、このカプラ２８Ａを上記透析器２に着脱自在に接続できるようになっている。
また、この透析液回収通路２８のカプラ２８Ａおよび上記透析液供給通路２７のカプラ２７Ａをともに透析器２から取り外してから、それら両カプラ２７Ａ、２８Ａを相互に接続させることにより、透析液供給通路２７と透析液回収通路２８を相互に連通させることができるようになっている（図３の破線で示す状態）。
また、透析液回収通路２８には、上記透析器２側から順に、透析液回路４内の圧力を測定する圧力センサ５６と、透析液を送液する透析液ポンプ５７とが設けられている。
【００１７】
上記透析液排液通路３２は、その上流部分が２方向に分岐してそれぞれ上記第１、第２透析液チャンバ２５、２６の回収室２５ｂ、２６ｂに接続され、上記分岐部分にはそれぞれ制御手段の制御によって開閉される排液弁Ｖ１２、Ｖ１３が設けられている。上記透析液排液通路３２の下流端である排液口３２Ａは、医療機関に設備された図示しない排液管と接続されている。また、透析液排液通路３２における排液口３２Ａに近い上流側の位置には、制御手段によって開閉される開閉弁Ｖ１０４が配置されている。
そして、上記透析液回収通路２８と開閉弁Ｖ１０４よりも上流側の透析液排液通路３２との間に除水通路５８が接続されており、その上流部分は上記透析液回収通路２８における透析液ポンプ５７と上記分岐点との間に接続され、下流部分は上記透析液排液通路３２における分岐点の下流側に接続されている。この除水通路５８には除水ポンプ５９が設けられている。
【００１８】
以上の構成は従来公知の構成であり、上記粉末容器４２を用いて血液透析を実施する場合には、次のような処理が行われる。
先ず、制御手段により開閉弁Ｖ１０３と開閉弁Ｖ１０４が開放されるとともに、透析液回路４の両カプラ２７Ａ、２８Ａは予め透析器２に接続されている。また開閉弁４５が閉じられるとともに開閉弁４６が開放されて、Ｂ原液タンク３７ではなく粉末容器４２を使用することが選択され、さらに開閉弁４９、５０が開放されて粉末容器４２内に浄水を供給可能な状態とされる。
この状態で上記制御手段は、給液弁Ｖ１と排液弁Ｖ１２とを開放するとともに供給弁Ｖ３と回収弁Ｖ１０を閉鎖する。また、制御手段は、送液ポンプ３３、Ａ原液ポンプ３８およびＢ原液ポンプ３９を所定のタイミングで作動させる。
送液ポンプ３３が起動されると、浄水の一部は分岐通路４３を介して粉末容器４２内に供給され、それによって粉末容器４２内でＢ原液が作製される。また第１透析液チャンバ２５では、給液弁Ｖ１と排液弁Ｖ１２とが開放されているため、供給室２５ａには上記Ａ原液ポンプ３８およびＢ原液ポンプ３９の起動によりＡ原液タンク３６内のＡ原液と粉末容器４２内のＢ原液とが供給されるとともに、上記送液ポンプ３３から浄水が供給される。
これにより、透析液作製手段２１を構成する供給室２５ａ内でこれらが混合されて新鮮な透析液が作製される一方、回収室２５ｂではダイアフラムが押圧されて先に充填されている使用済みの透析液が透析液排液通路３２およびその排液口３２Ａを介して外部へ排出される。
【００１９】
他方、上記第２透析液チャンバ２６では、制御手段が供給弁Ｖ４と回収弁Ｖ１１を開放するとともに給液弁Ｖ２と排液弁Ｖ１３を閉鎖する。すると回収室２６ｂには上記透析液ポンプ５７によって送液された使用済みの透析液が流入し、供給室２６ａからは作製済みの新鮮な透析液が透析器２に供給されることとなる。
その後、上記制御手段が上記給液弁Ｖ１、Ｖ２、供給弁Ｖ３、Ｖ４、回収弁Ｖ１０、Ｖ１１、排液弁Ｖ１２、Ｖ１３を交互に開閉することで、第１透析液チャンバ２５と第２透析液チャンバ２６で交互に作製される新鮮な透析液が透析液供給通路２７を介して透析器２へと供給され、また、透析器２を通過した使用済みの透析液が第１透析液チャンバ２５と第２透析液チャンバ２６に交互に回収されて上記透析液排液通路３２の排液口３２Ａを介して透析液回路４の外部へ排出されるようになる。
このようにして透析器２に連続的に透析液を送液しながら除水ポンプ５９を作動させることにより、除水を行うことができる。
【００２０】
上述した血液透析作業が終了した後、そのまま両アーム４７、４８から粉末容器４２を取り外すと、粉末容器４２内に残存していたＢ原液が外部に漏洩することになる。
また、血液透析作業の前に透析液回路４の洗浄を行う際には、両アーム４７、４８を折り畳み、上側アーム４７の内部通路４７ａと下側アーム４８の内部通路４８ａとをバイパス通路５１を介して連通させた状態で行うことになるが、その後に両アーム４７、４８をバイパス通路５１から切り離して粉末容器４２を取り付ける際には、バイパス通路５１内の浄水や洗浄液が外部に漏洩することになる。
本発明は、上記粉末容器４２やバイパス通路５１内に残存していた残液の液抜きを行うことにより、上述した事態の発生を防止することができるようにしたものである。
【００２１】
すなわち上記粉末容器４２やバイパス通路５１内に残存していた残液の液抜きを行うために、上記第２Ｂ原液供給通路４４と浄水供給通路３１とを連通する第１液抜き通路７１を設けるとともに、浄水供給通路３１と透析液排液通路３２とを接続する第２液抜き通路７２とを設けている。
上記第１液抜き通路７１の一端は、第２Ｂ原液供給通路４４に設けた開閉弁４６と開閉弁５０との間で該第２Ｂ原液供給通路４４に接続してあり、また第１液抜き通路７１の他端は、上記浄水供給通路３１に設けた送液ポンプ３３の上流側で該浄水供給通路３１に接続してある。そして第１液抜き通路７１に開閉弁７３を設けてある。
他方、上記第２液抜き通路７２の一端は、上記送液ポンプ３３の下流側で浄水供給通路３１に接続してあり、また第２液抜き通路７２の他端は、透析液排液通路３２に設けた開閉弁Ｖ１０４の下流側で該透析液排液通路３２に接続してある。そして第２液抜き通路７２に開閉弁７４を設けてある。
【００２２】
さらに、上記粉末容器４２の上流側に、密閉された透析液回路４を大気に開放する開放通路７７が設けられている。この開放通路７７の一端は、分岐通路４９に設けた開閉弁４９の下流側で該分岐通路４９に接続されており、他端は大気に開放されている。そして該開放通路７７に、上記一端から他端にかけて、上記制御手段の制御によって開閉される開閉弁７８と、液体の流出を阻止する逆止弁７９と、流入する大気を清浄化するエアフィルタ８０とを設けている。
上記開閉弁７８が制御手段によって開放された際には、閉回路を構成する分岐通路４９に開放通路７７を介してエアが流入可能となり、その際に分岐通路４９に流入する大気はエアフィルタ５０によって清浄化される一方、上記逆止弁７９は液体の流出を阻止するようになっている。
【００２３】
また本実施例では、上記粉末容器４２やバイパス通路５１内の液抜きが終了したことを検出するために、透析液回収通路２８に設けた圧力計５６を利用することができるようにしてある。そのために、圧力検出通路８３の一端を、透析液回収通路２８に設けた圧力計５６と透析液ポンプ５７との間に接続するとともに、該圧力検出通路８３の他端を、浄水供給通路３１に設けた送液ポンプ３３の上流側で、第１液抜き通路７１と開閉弁Ｖ１０３との間に接続している。そして圧力検出通路８３に開閉弁８４を設けてある。
これにより、上記送液ポンプ３３が液体を送液している間（液抜きをしている間）は圧力計５６の圧力は当該液抜きを開始する前の状態に比較して低圧となるが、液抜きが終了して送液ポンプ３３がエアを巻き込むようになると圧力計５６の圧力は上記低圧となった状態よりも上昇するので、制御手段はそれによって液抜きが終了したことを検出することができる。
【００２４】
以上の構成において、透析装置１による透析治療の終了後に粉末容器４２を取り外す際には、制御手段は第２Ｂ原液供給通路４４の開閉弁５０、第１液抜き通路７１の開閉弁７３および第２液抜き通路７２の開閉弁７４を開き、また開放通路７７の開閉弁７８と圧力検出通路８３の開閉弁８４を開く。その他の弁は全て閉鎖する。
この状態で送液ポンプ３３を起動すると、粉末容器４２内のＢ原液は、第２Ｂ原液供給通路４４、第１液抜き通路７１、浄水供給通路３１、送液ポンプ３３、第２液抜き通路７および透析液排液通路３２を介して外部に排出され、これと同時にエアが開放通路７７を介して粉末容器４２内に流入する。
また送液ポンプ３３の起動により液抜きが開始されると、浄水供給通路３１内の排液に伴って圧力検出通路８３と透析液回収回路２８内の液圧が上述したように当該液抜きを開始する前の状態に比較して低圧となり、この低圧が圧力計５６によって検出される。
【００２５】
上記粉末容器４２内の液抜きが進み、エアが上記第２Ｂ原液供給通路４４、第１液抜き通路７１および浄水供給通路３１を介して送液ポンプ３３に至ると、該送液ポンプ３３による送液が行えなくなる。これにより上記圧力検出通路８３と透析液回収回路２８内の液圧が上述した低圧の状態よりも上昇するようになる。
制御手段は上記送液ポンプ３３の起動後、所要時間経過後の低圧の状態の圧力を上記圧力計５６によって計測して記憶しており、エアが送液ポンプ３３に至って上記圧力が上昇すると、制御手段は粉末容器４２内の液抜きが終了したと判断して、上記送液ポンプ３３を停止させる。これと同時に、制御手段は操作パネル１ｂに粉末容器４２内の液抜きが終了した旨を表示する。
この状態となれば、粉末容器４２を上下のアーム４７、４８から取り外しても、該粉末容器４２内から液漏れが生じることはない。上述した説明は、バイパス通路５１からの液抜きの際にも同様である。
そしていずれの液抜きの際においても、大容量の送液量を有する送液ポンプ３３を用いているので、速やかに上記液抜き作業を終了させることができる。
【００２６】
なお、上記実施例ではＢ原液タンク３７を設けているが、該Ｂ原液タンク３７と第１Ｂ原液供給通路３５とを省略してもよい。
また、上記実施例では粉末容器４２やバイパス通路５１内の液抜きが終了したことを検出するために透析液回収通路２８に設けた圧力計５６を利用しているが、タイマーを用いて所要時間経過後に液抜きが終了したと判断するようにしてもよい。
【符号の説明】
【００２７】
１  透析装置                      ２  透析器
４  透析液回路                    ２１  透析液作製手段
２５、２６  透析液チャンバ        ２５ａ、２６ａ  供給室
２５ｂ、２６ｂ  回収室            ２７  透析液供給通路
２８  透析液回収通路              ３１  浄水供給通路
３２  透析液排液通路              ３３  送液ポンプ
３４、４４  原液供給通路          ３６  原液容器
３８、３９  原液ポンプ            ４１  原液作製手段
４２  粉末容器                    ４３  分岐通路
４７、４８  アーム                ４７ａ、４８ａ  内部通路
５１  バイパス通路                ５６  圧力センサ
７１  第１液抜き通路              ７２  第２液抜き通路
７７  開放通路                    ８３  圧力検出通路
【図１】
2018000612.tif 000003
【図２】
2018000612.tif 000004
【図３】
2018000612.tif 000005